(57)【要約】      （修正有）【課題】複数のシステムを搭載可能なシャーシ構造を提供する。【解決手段】複数のシステムを搭載可能なシャーシ構造は、両端に開口部を有した中空状のケーシングであり、かつ前記開口部の内部には、前記開口部を複数の挿抜スロットに仕切るための少なくとも一つのスペーサーがさらに配置されているメインケース１０と、外形が前記挿抜スロットのケースに対応するケーシングであり、前記挿抜スロット内に挿抜可能に穿設されるように対応しており、かつ内部には、システム配置スペースを有している複数のシステム搭載ケース２０とを備えるように構成される。【選択図】図１
0003175438.tif 000002
【実用新案登録請求の範囲】
【請求項１】
両端に開口部を有した中空状のケーシングであり、かつ前記開口部の内部には、前記開口部を複数の挿抜スロットに仕切るための少なくとも一つのスペーサーがさらに配置されているメインケースと、
外形が前記挿抜スロットに対応するケーシングであり、前記挿抜スロット内に挿抜可能に穿設されるように対応しており、かつ内部には、システム配置スペースを有している複数のシステム搭載ケースと、を備えることを特徴とする、複数のシステムを搭載可能なシャーシ構造。
【請求項２】
前記挿抜スロットの数及び前記システム搭載ケースの数は、それぞれ二つであることを特徴とする、請求項１記載の複数のシステムを搭載可能なシャーシ構造。
【請求項３】
前記システム配置スペースの配置は、前記メインケースの前側に対応する位置に、ハードディスク搭載スペースが設けられていることを特徴とする、請求項２記載の複数のシステムを搭載可能なシャーシ構造。
【請求項４】
前記ハードディスク搭載スペースには、複数のハードディスクスロットが横置き姿勢で設けられていることを特徴とする、請求項３記載の複数のシステムを搭載可能なシャーシ構造。
【請求項５】
前記システム配置スペースは、前記メインケースの後側に対応する位置に、マザーボード配置スペース及び電源供給領域が設けられていることを特徴とする、請求項３記載の複数のシステムを搭載可能なシャーシ構造。
【請求項６】
前記マザーボード配置スペースには、横置き姿勢で配置した電気回路板が固定されていることを特徴とする、請求項５記載の複数のシステムを搭載可能なシャーシ構造。
【請求項７】
前記電源供給領域が、前記マザーボード配置スペースの一側に対応するように設けられていることを特徴とする、請求項６記載の複数のシステムを搭載可能なシャーシ構造。
【請求項８】
前記電源供給領域は長尺状の電源供給器を配置可能な細長い空間であることを特徴とする、請求項７記載の複数のシステムを搭載可能なシャーシ構造。
【請求項９】
前記挿抜スロットは、長尺状を呈していることを特徴とする、請求項８記載の複数のシステムを搭載可能なシャーシ構造。
【請求項１０】
前記メインケースは、扁平な細長い矩形または矩形を呈していることを特徴とする、請求項８記載の複数のシステムを搭載可能なシャーシ構造。
【考案の詳細な説明】
【技術分野】
【０００１】
本考案は、複数システムを搭載可能なシャーシ構造に関し、特に、より良い空間配置をもって、少なくとも二つのシステムを同時に搭載可能なシャーシに関するものである。
【背景技術】
【０００２】
電子技術の移り変わりと進歩、およびオフィス文化の変遷により、従来の伝統的な作業形態のように、頻繁に人力を主として行われた手動操作を取り替えるために、企業または工場、研究室などの各部門のいずれも電子化プロセスの作業を積極的に導入する。そのため、職員に作業を行わせる部門においては、メインフレームが利用されているので、オペレーティングシステムが提供されていることは、すでに周知の事実である。
【考案の概要】
【考案が解決しようとする課題】
【０００３】
しかして、公知技術において、前述したようにメインフレームが空間の大半を占拠していて、かつこの類のメインフレームの重要性が高いことから、一般では独立した特別な空間に収納する必要があるため、事務処理や作業環境の空間配置が困難になる。即ち、事務処理の要望に対応するために複数のメインフレームを用いる必要があることはごく普通のことなので、空間利用上では著しく不便をもたらす傾向がある。しかし、メインフレームのケーシングを工夫することで、実際に上記課題の解消が可能になるはずだが、市場ではこの点に着眼されたデザインが少ない。
【課題を解決するための手段】
【０００４】
従って、本考案の考案者は、複数のシステムを搭載可能なシャーシ構造を熟考して設計することにより、公知技術の欠点を改善するとともに、産業上の実施利用の促進を図る。
【０００５】
前述した公知技術の不足点を鑑みて、本考案は、新規性、進歩性及び産業上の利用可能性などの実用新案登録要件を満たしており、公知技術の難所を克服し得る複数のシステムを搭載可能なシャーシ構造を提供することを目的とする。
【０００６】
上記目的を達成するために、本考案が採用されている技術手段は、複数のシステムを搭載可能なシャーシ構造を設計することである。
【０００７】
この複数のシステムを搭載可能なシャーシ構造は、両端に開口部を有した中空状のケーシングであり、かつ開口部の内部には、開口部を複数の挿抜スロットに仕切るための少なくとも一つのスペーサーがさらに配置されているメインケースと、外形が挿抜スロットに対応しており、挿抜スロット内に挿抜可能に穿設されるように対応しており、かつ内部には、システム配置スペースを有している複数のシステム搭載ケースと、を備えるように構成される。
【０００８】
そのうち、挿抜スロットの数及びシステム搭載ケースの数は、それぞれ二つである。なお、システム配置スペースの配置は、メインケースの前側に対応する位置に、ハードディスク搭載スペースが設けられているものである。また、ハードディスク搭載スペースには、複数のハードディスクスロットが横置き姿勢で設けられている。そして、システム配置スペースでは、メインケースの後側に対応する位置に、マザーボード配置スペース及び電源供給領域が設けられている。また、マザーボード配置スペースには、横置き姿勢で配置した電気回路板が固定されている。さらに、電源供給領域が、マザーボード配置スペースの一側に対応するように設けられている。電源供給領域は長尺状の電源供給器を配置可能な細長い空間である。また、挿抜スロットは、長尺状を呈しており、メインケースは、扁平な細長い矩形または矩形を呈している。
【考案の効果】
【０００９】
本考案に係る複数のシステムを搭載可能なシャーシ構造は、設計上、構造の組み合わせを利用することにより、メインケースとしては、薄状、かつ必ずしも高さの高いものではなくてもよい。このようなメインケースの内部に、少なくとも二つのシステム配置スペースが縦方向に配置されているとともに、高さが低いアセンブリーを搭載することにより、メインフレーム全体を効果的に薄型化する目的を達成し、さらに、複数のオペレーティングシステムを必要とするメインフレームが事務処理の空間において、占拠空間が最も減少した搭載用シャーシを提供することができ、空間配置上の問題を確実に解消できる。さらに、一つの搭載用シャーシに複数のシステムを搭載する概念に基づいて、使用者または企業主にとって、格納ラック設置にかかる費用を省くことができるほか、実務応用面において、高度な利便性が提供される。
【００１０】
上述した目的と、技術的特徴と、実際に実施することによって達成される利益性とを十分に理解するために、以下、好ましい実施の形態を例示しているので、対応する関連図面に基づき詳細に説明してある記載内容を参照すべきである。
【図面の簡単な説明】
【００１１】
【図１】本考案の複数のシステムを搭載可能なシャーシ構造の外観図である。
【図２】本考案の複数のシステムを搭載可能なシャーシ構造の外観分解図である。
【図３】本考案の複数のシステムを搭載可能なシャーシ構造の正面図である。
【図４】本考案の複数のシステムを搭載可能なシャーシ構造の配置図である。
【考案を実施するための形態】
【００１２】
本考案をより完全に理解するために、本考案の創作特徴、内容と長所および達成できる効果については、添付図面を参照して、実施例の表現形式で以下のように詳細に説明される。しかし、図示された図面は、単に例示または明細書内容を補助する目的としたものであって、本考案の実施後の原寸に比例したものや精確に配置したものには何ら拘束されない。よって、図示された図面は、添付図面の比例と配置関係で解釈されてはならず、本発明を実際に実施する権利範囲に制限することを意図したものではないことについて先に説明しておきたい。
【実施例】
【００１３】
図１ないし４に示すように、本考案に係る複数のシステムを搭載可能なシャーシ構造を参照する。本考案の好ましい実施例は、メインケース（１０）と、複数のシステム搭載ケース（２０）と、を備えるように構成される。
【００１４】
前述したメインケース（１０）は扁平な細長い矩形または矩形を呈しており、両端に開口部（１１）を有した中空状のケーシングであり、かつその開口部（１１）の内部には、開口部（１１）を複数の挿抜スロット（１１１）に仕切るための少なくとも一つのスペーサー（１２）がさらに配置されており、それらの挿抜スロット（１１１）は長尺状を呈している。
【００１５】
前述したシステム搭載ケース（２０）は、外形が挿抜スロット（１１１）に対応するケーシングであり、挿抜スロット（１１１）内に挿抜可能に穿設されるように対応しており、かつシステム搭載ケース（２０）の内部には、システム配置スペース（２１）を有しており、前記システム配置スペース（２１）の配置については、メインケース（１０）の前側に対応する位置に、ハードディスク搭載スペース（２１１）が設けられており、前記ハードディスク搭載スペース（２１１）には、横置き姿勢で配置した複数のハードディスクスロット（２１２）を固設してもよく、ハードディスク搭載スペース（２１１）の内部にて、複数のハードディスクを取り付けることができる。
【００１６】
さらに、システム配置スペース（２１）がメインケース（１０）の後側に対応する位置に、マザーボード配置スペース（２２）及び電源供給領域（２３）が設けられており、前記マザーボード配置スペース（２２）には、ネットワークケーブル、表示装置ケーブル、キーボードケーブルやマウスケーブルなどを差し込むための横置き姿勢で配置した電気回路板が固定されている。また、電源供給領域（２３）が、マザーボード配置スペース（２２）の一側に対応するよう設けられており、電源供給領域（２３）は、細長い空間であるため、内部には、長尺状の電源供給器を配置することができる。
【００１７】
本考案の複数のシステムを搭載可能なシャーシ構造に工夫された設計変化によれば、構造の組み合わせを利用し、薄状のメインケース（１０）の内部に、少なくとも二つのシステム搭載ケース（２０）が縦方向に配置されているとともに、少なくとも二つのシステム配置スペース（２１）を有するようになり、高さが低いアセンブリーを搭載することにより、メインフレーム全体を効果的に薄型化する目的を達成することができる。さらに、複数のオペレーティングシステムを必要とするメインフレームが事務処理の空間においては、占拠空間が最も減少した搭載用シャーシを提供することができ、空間配置上の問題を確実に解消できる。このほか、一つの搭載用シャーシに複数のシステムを搭載する概念に基づいて、使用者または企業主にとって、格納ラック設置にかかる費用を省くことができるほか、実務応用面において、高度な利便性が提供される。しかも、単一のシステムが故障した際、対応したシステム搭載ケース（２０）のみを取り外して修理することができることから、メインケース（１０）の内部に配置されているすべてのシステムを同時に修理に出す必要がない。この点は、公知技術では及ばないことが分かる故、本考案が効果向上性を有することは明らかである。
【符号の説明】
【００１８】
１０      メインケース
１１      開口部
１１１    挿抜スロット
２０      システム搭載ケース
２１      システム配置スペース
２１１    ハードディスク搭載スペース
２１２    ハードディスクスロット
２２      マザーボード配置スペース
２３      電源供給領域
【図１】
0003175438.tif 000003
【図２】
0003175438.tif 000004
【図３】
0003175438.tif 000005
【図４】
0003175438.tif 000006